(57)【要約】【課題】薄型化及び狭額縁化を図りつつ、表示パネルの表示面における光漏れを抑制することができる表示装置及びテレビジョン受信機を提供する。【解決手段】回路基板２８１の背面の上辺部が導光板２３の正面２３ａの下辺部に接触しており、回路基板２８１の下端部が挿入溝３７１の内部（即ちＬＥＤ２５，２５，…よりもＬＥＤ基板２６側）に位置している。また、遮光凸部３４が、前枠部３１１の内面から導光板２３の正面２３ａの周縁下辺部までの範囲を閉鎖している。このため、ＬＥＤ２５，２５，…から放射された光の内、導光板２３の下端面２３ｂから導光板２３の内部に入射しなかった光は、回路基板２８１又は遮光凸部３４に遮蔽されるため、表示パネル２１の内部には入射しない。【選択図】図３
2013254106.tif 000002
【特許請求の範囲】
【請求項１】
正面側に表示面を有する表示パネルと、
該表示パネルの背面側に配置してあり、端面から内部に入射した光を正面から出射する導光板と、
前記端面に対向配置してある光源と、
該光源が実装されている非透光性の光源基板と、
前記表示パネルに映像を表示させるための回路基板と
を備える表示装置において、
前記表示パネルの背面における前記光源の側の周縁部と前記光源基板との間に空間を有しており、
前記回路基板は、非透光性を有し、前記光源から前記空間を遮蔽するように配されていることを特徴とする表示装置。
【請求項２】
前記回路基板は、一部が前記導光板に接触しており、他部が前記光源よりも前記光源基板の側に位置していることを特徴とする請求項１に記載の表示装置。
【請求項３】
前記表示パネルに取り付けられているフレキシブル基板を更に備え、
該フレキシブル基板は、前記回路基板に電気的に接続されていることを特徴とする請求項１又は２に記載の表示装置。
【請求項４】
前記表示面の周縁部を囲繞するキャビネットと、
該キャビネットに一体的に設けてあり、前記光源が発生させる熱を外部へ放出すべく、前記光源基板が取り付けられている放熱部と
を更に備えることを特徴とする請求項１から３の何れかひとつに記載の表示装置。
【請求項５】
請求項１から４の何れかひとつに記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、光源から放射された光によって表示パネルが照明される表示装置、及び、この表示装置を備えるテレビジョン受信機に関する。
【背景技術】
【０００２】
液晶表示装置は、液晶表示パネルとバックライトとを備えている。バックライトは、液晶表示パネルの背面側から液晶表示パネルを照明する（特許文献１参照）。
エッジライト方式のバックライトは、液晶表示パネルの背面側に、光学シート群を介して導光板を配置し、導光板の端面（例えば下端面）に、ＬＥＤ基板に実装されたＬＥＤを対向配置してなる。
ＬＥＤから放射された光は、導光板によって液晶表示パネルの背面側へ導かれ、光学シート群による拡散及び集光等を経て、液晶表示パネルの内部に入射する。この結果、液晶表示パネルの表示面が均一に明るくなる。
【０００３】
導光板の一側方（例えば下側方）には、信号回路が実装された回路基板が配されている。ＬＥＤから見ると、回路基板は、導光板側の逆側に位置しているため、ＬＥＤから導光板への光の入射が回路基板によって阻害されることはない。
回路基板と液晶表示パネルとの間には、ＳＯＦ（System On Film）が介在している。ＳＯＦは、ドライバＬＳＩとフレキシブル基板とを備える。ドライバＬＳＩは、信号回路から表示駆動信号を入力されることによって、表示パネルを駆動する。この結果、表示パネルに映像が表示される。
【０００４】
液晶表示パネル、バックライト、回路基板、及びＳＯＦは、前キャビネットと後キャビネットとを用いてなる筐体に収容されている。
【先行技術文献】
【特許文献】
【０００５】
【特許文献１】特開２００１−１１７０９７号公報
【発明の概要】
【発明が解決しようとする課題】
【０００６】
ＬＥＤから放射された光が、導光板又は光学シート群を介さずに液晶表示パネルの内部に入射した場合、表示面の一部分が他部分よりも無用に明るくなる現象（以下、光漏れという）が生じる。この結果、表示面に表示されている映像の画質が劣化する。
光漏れの原因は、液晶表示パネルの背面の周縁部が光学シート群に被覆されていないこと、及び、ＬＥＤと液晶表示パネルとの間に、光が通過し得る空間（以下、漏光空間という）が存在すること等である。このため、ＬＥＤから放射された光の一部が漏光空間を通って、液晶表示パネルの背面の周縁部、又は表示パネルの端面から、液晶表示パネルの内部に入射する。
【０００７】
特許文献１に記載の液晶表示装置は、光源から放射された光を導光板側へ反射する反射板と、両面粘着シート状の遮光部材とを更に備える。反射板の端縁は、遮光部材によって、導光板の端縁に固定されている。反射板及び遮光部材は、漏光空間を閉鎖している。このため、導光板の内部に入射しなかった光は、反射板にて反射するか、又は、遮光部材にて反射若しくは吸収等される。
また、従来の他の液晶表示装置には、液晶表示パネルが取り付けられるパネルシャーシを更に備え、光学シート群、導光板、及びＬＥＤをパネルシャーシで覆う構成のものがある。パネルシャーシは、漏光空間を閉鎖している。このため、ＬＥＤから放射された光は、導光板の内部及び光学シート群を介さない限り、液晶表示パネルの内部に入射することができない。
【０００８】
ところで、近年、液晶表示装置の薄型化及び狭額縁化を図るべく部品点数が削減されている。しかしながら、特許文献１に記載の液晶表示装置から反射板若しくは遮光部材を削減した場合、又は、従来の他の液晶表示装置からパネルシャーシを削減した場合、光漏れを抑制することができない。
【０００９】
本発明は斯かる事情に鑑みてなされたものであり、その主たる目的は、薄型化及び狭額縁化を図りつつ、表示パネルの表示面における光漏れを抑制することができる表示装置及びテレビジョン受信機を提供することにある。
【課題を解決するための手段】
【００１０】
本発明に係る表示装置は、正面側に表示面を有する表示パネルと、該表示パネルの背面側に配置してあり、端面から内部に入射した光を正面から出射する導光板と、前記端面に対向配置してある光源と、該光源が実装されている非透光性の光源基板と、前記表示パネルに映像を表示させるための回路基板とを備える表示装置において、前記表示パネルの背面における前記光源の側の周縁部と前記光源基板との間に空間を有しており、前記回路基板は、非透光性を有し、前記光源から前記空間を遮蔽するように配されていることを特徴とする。
【００１１】
本発明に係る表示装置は、前記回路基板は、一部が前記導光板に接触しており、他部が前記光源よりも前記光源基板の側に位置していることを特徴とする。
【００１２】
本発明に係る表示装置は、前記表示パネルに取り付けられているフレキシブル基板を更に備え、該フレキシブル基板は、前記回路基板に電気的に接続されていることを特徴とする。
【００１３】
本発明に係る表示装置は、前記表示面の周縁部を囲繞するキャビネットと、該キャビネットに一体的に設けてあり、前記光源が発生させる熱を外部へ放出すべく、前記光源基板が取り付けられている放熱部とを更に備えることを特徴とする。
【００１４】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【００１５】
本発明にあっては、表示装置は、表示パネル、導光板、光源、光源基板、及び回路基板を備える。
光源は、導光板の端面に対向配置されている。このため、光源から放射された光の一部は、導光板の端面から導光板の内部に入射し、導光板の正面から出射されることによって、表示パネルの背面側へ導かれる。表示パネルの背面側へ導かれた光は、表示パネルの背面から表示パネルの内部に入射し、表示パネルの正面から出射される。この結果、表示パネルの表示面が明るくなる。
【００１６】
表示装置は、表示パネルの背面の周縁部の内、光源側の周縁部と、光源基板との間に、空間を有する。このため、光源から放射された光の他の一部が、この空間を通過した場合、光漏れが生じ得る。何故ならば、この空間を通過した光は、導光板を介さずに表示パネルの内部に入射し得るからである。即ち、この空間は漏光空間である。
【００１７】
従来の表示装置においては、回路基板は、光源から見て導光板側とは逆側に配されている。ところが、本発明においては、回路基板が光源から漏光空間を遮蔽している。このため、光漏れが抑制される。このとき、回路基板は、光源から導光板へ至るまでの空間に配されるわけではない。故に、光源から導光板への光の入射が回路基板によって阻害されることはない。
光源基板及び回路基板は何れも非透光性であるため、光源基板又は回路基板を透過した光が表示パネルの内部に入射する虞はない。
【００１８】
本発明にあっては、回路基板の一部が導光板に接触しており、回路基板の他部が光源よりも光源基板の側に位置している。具体的には、例えば光源が導光板の下端面に対向配置されているならば、回路基板の上部が導光板に接触し、回路基板の下部が光源よりも下側に位置する。
このため、光源から放射された光の他の一部が、反射又は回折等によって回路基板を迂回して、漏光空間を通過することが困難になる。従って、光漏れが更に確実に抑制される。
【００１９】
本発明にあっては、表示装置は、フレキシブル基板を更に備える。
表示パネルと回路基板との間にはフレキシブル基板が介在する。回路基板が従来とは異なる姿勢又は位置に配されても、フレキシブル基板が屈曲／伸直すれば、表示パネルと回路基板との間の電気的な接続を保つことができる。
【００２０】
本発明にあっては、表示装置は、キャビネット及び放熱部を更に備える。
このキャビネットは、例えば前キャビネットであり、表示パネルの表示面の周縁部を囲繞する。
従来の表示装置は、光源が発生させる熱を外部へ放出すべく、光源基板が取り付けられている放熱部材をキャビネットとは別個に備えている。
一方、本発明の場合、放熱部はキャビネットに一体的に設けてある。このため、部品点数を削減することができる。また、放熱部に伝達した熱は、キャビネットを介して表示装置の外部へ放出される。従って、放熱部に伝達した熱を表示装置の外部へ放出するための手段を別途講じる必要がない。
【００２１】
本発明にあっては、テレビジョン受信機は、本発明に係る表示装置と受信部とを備える。
本発明に係る表示装置においては、光漏れが抑制されている。従って、受信部にて受信したテレビジョン放送に基づく映像を表示する場合に、表示された映像の画質が、光漏れによって劣化することが抑制される。
【発明の効果】
【００２２】
本発明の表示装置及びテレビジョン受信機による場合、従来の表示装置が備えているような反射板及び遮光部材、又はパネルシャーシ等を備えていない構成であっても、光漏れを抑制することができる。何故ならば、表示パネルの内部に入射しようとする無用な光を、回路基板が遮断するからである。回路基板そのものは、従来の表示装置も備えている。従って、表示装置及びテレビジョン受信機に、光漏れを抑制するための新たな部材を追加する必要はない。この結果、表示装置及びテレビジョン受信機の薄型化及び狭額縁化が阻害されることはない。
【図面の簡単な説明】
【００２３】
【図１】本発明の実施の形態１に係るテレビジョン受信機の外観を示す斜視図である。
【図２】本発明の実施の形態１に係る表示装置の構成を模式的に示す遮光凸部の突設位置の縦断面図である。
【図３】本発明の実施の形態１に係る表示装置の構成を模式的に示す遮光凸部の非突設位置の縦断面図である。
【図４】本発明の実施の形態１に係る表示装置が備えるパネルユニットの一部分の構成を示す正面図である。
【図５】従来の表示装置の構成を図２に対応して模式的に示す縦断面図である。
【図６】従来の表示装置の構成を図３に対応して模式的に示す縦断面図である。
【図７】従来の表示装置が備えるパネルユニットの一部分の構成を図４に対応して示す正面図である。
【図８】本発明の実施の形態２に係る表示装置の構成を模式的に示す遮光凸部の突設位置の縦断面図である。
【図９】本発明の実施の形態２に係る表示装置の構成を模式的に示す遮光凸部の非突設位置の縦断面図である。
【図１０】本発明の実施の形態２に係る表示装置が備えるパネルユニットの一部分の構成を示す正面図である。
【発明を実施するための形態】
【００２４】
以下、本発明を、その実施の形態を示す図面に基づいて詳述する。
【００２５】
実施の形態  １．
図１は、本発明の実施の形態１に係るテレビジョン受信機１の外観を示す斜視図である。
図２及び図３は、何れも、本発明の実施の形態１に係る表示装置１０の構成を模式的に示す縦断面図である。ただし、図２は、後述する遮光凸部３４が突設されている位置（即ち遮光凸部３４の突設位置）における断面を示し、図３は、隣り合う遮光凸部３４，３４間（即ち遮光凸部３４の非突設位置）における断面を示している。
【００２６】
図２及び図３は、各後述する受信部１１、信号処理部１２、及び後キャビネット３２等の図示を省略してある。図２及び図３に示す矢符は、光の方向を表わしている。図２は、後述するＳＯＦ２７の図示を省略してあり、図３は、後述するフレキシブル基板１４の図示を省略してある。
以下では、図２及び図３の左側を、表示装置１０（延いてはテレビジョン受信機１）の前側又は正面側といい、図２及び図３の右側を、表示装置１０の後側又は背面側という。また、図２及び図３の紙面垂直方向の手前側（及び奥側）を、表示装置１０の右側（及び左側）という。
【００２７】
図４は、表示装置１０が備えるパネルユニット（後述）の一部分の構成を示す正面図である。図４の左側（及び右側）は、パネルユニットの左側（及び右側）である。図４の紙面垂直方向の手前側（及び奥側）は、パネルユニットの前側（及び後側）である。図４には、まだパネルユニットが後述する前キャビネット３１に取り付けられていない状態が示されている。また、図４には、パネルユニットの左下角部が示されており、フレキシブル基板１４の図示は省略している。
【００２８】
まず、図１を参照しつつ、テレビジョン受信機１の構成を説明する。
テレビジョン受信機１は、表示装置１０、受信部１１、信号処理部１２、及びスタンド１３を備えている。
スタンド１３は、表示装置１０の下部に設けられており、縦姿勢の表示装置１０を支持する。
表示装置１０は、矩形状の表示パネル２１と、筐体１００とを備えている。筐体１００の前部（及び後部）は、矩形枠状の前キャビネット３１（及び矩形トレイ状の後キャビネット３２）を用いてなる。
【００２９】
前キャビネット３１は、熱伝導性が高い材料（例えばアルミニウム）を用いて押出成形してなり、中央部に矩形状の開口３１ａを有する。
後キャビネット３２は、例えば電気亜鉛めっき鋼板からなる。
前キャビネット３１及び後キャビネット３２夫々の上下及び左右寸法は略同じであり、互いの周縁部分が対向している。
前キャビネット３１は、本発明の実施の形態におけるキャビネットとして機能する。
【００３０】
受信部１１及び信号処理部１２は、筐体１００に内蔵されている。なお、受信部１１及び信号処理部１２は、表示装置１０に外付けされていてもよい。
表示装置１０は、受信部１１が受信したテレビジョン放送に基づく映像を表示する。このために、受信部１１は、図示しないアンテナを介して、外部からテレビジョン放送を受信し、受信したテレビジョン放送から放送信号を取り出す。信号処理部１２は、受信部１１が取り出した放送信号に所定の信号処理を施すことによって、映像データを出力する。
【００３１】
表示パネル２１は、正面側に表示面２１１を有する。そして、表示パネル２１は、信号処理部１２が出力した映像データに基づく映像を、表示面２１１に表示する。
表示パネル２１は、液晶表示パネルを用いてなる。表示パネル２１は、表示面２１１の中央部に位置する有効表示領域が開口３１ａから露出するように、縦姿勢で筐体１００に収容されている。表示パネル２１の縦横（即ち上下方向及び左右方向）の寸法は、開口３１ａの縦横の寸法よりも若干大きい。故に、前キャビネット３１は、表示パネル２１の表示面２１１の周縁部を囲繞している。
【００３２】
次に、表示装置１０の構成を詳述する。以下では、主に前キャビネット３１の周縁部の内、下辺部（以下、周縁下辺部という）の近傍の構成について説明する。図２及び図３には、前キャビネット３１の周縁下辺部の近傍の構成が示されている。
まず、図２及び図３を参照しつつ、前キャビネット３１の構成を更に説明する。
前キャビネット３１は、前枠部３１１及び突出枠部３１２を備えている。
前枠部３１１は、中央部に開口３１ａが形成された矩形板状になしてあり、前枠部３１１の正面は露出している（即ち外面である）。
突出枠部３１２は、前枠部３１１の外縁部分から後側へ突出している。
【００３３】
前枠部３１１の背面（即ち前枠部３１１の内面）における開口３１ａの開口縁部（即ち前枠部３１１の内縁部分）には、表示パネル２１の損傷を抑制するための弾性部材３３が、前枠部３１１の周縁方向に沿って連続的又は断続的に配置してある。
【００３４】
前枠部３１１の内面の上下方向中央部分には、複数個の遮光凸部３４，３４，…と、放熱部３７とが突設されている。
遮光凸部３４，３４，…は、前枠部３１１の周縁下辺部の周縁方向（具体的には左右方向）に並設されている。また、遮光凸部３４，３４，…は、弾性部材３３よりも下側に位置している。
各遮光凸部３４は、横姿勢の四角柱状をなし、前枠部３１１の内面から後方向へ、即ち前キャビネット３１から後述する導光板２３側へ、後述する空間Ｓを貫いて突出している。
【００３５】
放熱部３７は、横姿勢の矩形平板状をなしている。放熱部３７の一辺部は、前枠部３１１に一体である。放熱部３７は、遮光凸部３４，３４，…よりも下側、且つ突出枠部３１２の上側に位置している。
放熱部３７の上面３７ａの前後方向中央部には、後述するＬＥＤ基板２６が載置される。また、放熱部３７の基端部近傍の上面３７ａには、後述する回路基板２８１，２８１，…が挿入される挿入溝３７１が形成されている。挿入溝３７１の長手方向は左右方向に沿う。
【００３６】
挿入溝３７１は部分的に放熱部３７を貫通している。挿入溝３７１の放熱部３７を貫通している部分は、遮光凸部３４，３４，…に対応して複数個存在する。以下では、挿入溝３７１の放熱部３７を貫通している部分を挿通孔３７２，３７２，…という。挿通孔３７２，３７２，…は、遮光凸部３４，３４，…の下方に位置する。
【００３７】
ここで、前キャビネット３１の製造について説明する。まず、前枠部３１１、突出枠部３１２、遮光凸部３４，３４，…となすべき凸条部、及び放熱部３７となすべき凸板部が、押出成形によって、一体に形成される。次いで、形成された凸条部を部分的に切削し、複数個に分割することによって、遮光凸部３４，３４，…が形成される。更に、形成された凸板部を部分的に切削し、挿入溝３７１及び挿通孔３７２，３７２，…を設けることによって、放熱部３７が形成される。以上の結果、前キャビネット３１が製造される。
【００３８】
次に、図２〜図４を参照しつつ、パネルユニットの構成を説明する。ここでは、表示パネル２１と、各後述する光学シート群２２、ＳＯＦ２７，２７，…、及び回路基板２８１，２８１，…とフレキシブル基板１４とのひとまとまりをパネルユニットという。
【００３９】
表示パネル２１は、後述するエッジライト方式のバックライトによって、表示パネル２１の背面２１２側から照明される。表示パネル２１は表示面２１１側のガラス板と背面２１２側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１１に映像が表示される。
【００４０】
バックライトは、光学シート群２２、導光板２３、反射シート２４、ＬＥＤ２５，２５，…、及びＬＥＤ基板２６を用いて構成される。これらの内、光学シート群２２については次に説明し、これ以外については更に後で述べる。
光学シート群２２は、矩形状をなしており、表示パネル２１の背面２１２の中央部に密着配置されている。光学シート群２２の縦横の寸法は、表示パネル２１の背面２１２の縦横の寸法よりも小さい。このため、光学シート群２２は、表示パネル２１の周縁部を被覆していない。ただし、光学シート群２２の縦横の寸法は、表示パネル２１の有効表示領域の縦横の寸法より大きい。つまり、光学シート群２２は、表示パネル２１の有効表示領域を、背面２１２側から覆っている。
【００４１】
複数枚のＳＯＦ２７，２７，…は、表示パネル２１の下辺部２１ａに沿って（具体的には左右方向に）並置されている。各ＳＯＦ２７は、図示しないドライバＬＳＩと、フレキシブル基板２７１とを備えている。
各フレキシブル基板２７１は帯状をなし、一面を正面側に向け、長手方向が上下方向に沿うよう表示パネル２１の下辺部２１ａから垂下している。フレキシブル基板２７１の正面又は他面には、ドライバＬＳＩが実装されている。
ＳＯＦ２７が備えるドライバＬＳＩは、表示パネル２１の駆動回路である。具体的には、ドライバＬＳＩは、後述する信号回路から入力された表示駆動信号に応じて、適宜の電圧を表示パネル２１の液晶に印加する。この結果、表示パネル２１の透過率が変化する。
【００４２】
ＳＯＦ２７は、フレキシブル基板２７１の上端部側で、表示パネル２１に電気的に接続されている。また、ＳＯＦ２７は、フレキシブル基板２７１の下端部側で、複数枚の回路基板２８１，２８１，…の内、何れかひとつの回路基板２８１に、コネクタ２９１を介して電気的に接続されている。
【００４３】
回路基板２８１，２８１，…は、表示パネル２１の下辺部２１ａに沿って並置されている。各回路基板２８１は、非透光性を有する横長の矩形板状になしてある。各回路基板２８１の一面又は他面には、図示しない信号回路が実装されている。この信号回路は、信号処理部１２が出力した映像データに基づく表示駆動信号を、ＳＯＦ２７が備えるドライバＬＳＩへ出力する。
【００４４】
回路基板２８１の一方の長辺部は、櫛歯状になしてあり、他方の長辺部及び２つの短辺部夫々は、非櫛歯状（直線状）になしてある。図４では、回路基板２８１の櫛歯状の長辺部に、３個の凹部２８１ａ，２８１ａ，…が形成されている場合が例示してある。凹部２８１ａ，２８１ａ，…夫々の左右方向の寸法及び互いの離間距離は、遮光凸部３４，３４，…夫々の左右方向の寸法及び互いの離間距離に対応している。回路基板２８１の櫛歯状の長辺部は、図２及び図３では上辺部であり、図４では下辺部である。
【００４５】
回路基板２８１の一面には、複数個のコネクタ２９１，２９１，…と、１個のコネクタ２９２（又は複数個のコネクタ２９２，２９２，…。図４では２個）が実装されている。回路基板２８１の各コネクタ２９１及びコネクタ２９２が実装されている面は、図２及び図３では正面であり、図４では背面である。コネクタ２９１，２９１，…の個数は、回路基板２８１に電気的に接続されるＳＯＦ２７，２７，…の枚数（図４では４枚）に対応する。
【００４６】
コネクタ２９１，２９１，…及びコネクタ２９２（又はコネクタ２９２，２９２）は、回路基板２８１の非櫛歯状の長辺部に沿って並置されている。コネクタ２９１，２９１，…と凹部２８１ａ，２８１ａ，…とは、千鳥配置されている。つまり、コネクタ２９１，２９１，…（延いてはＳＯＦ２７，２７，…）の左右方向の配置位置と凹部２８１ａ，２８１ａ，…の左右方向の配置位置とは異なる。一方、コネクタ２９２の左右方向の配置位置は、凹部２８１ａの左右方向の配置位置に対応する。
【００４７】
フレキシブル基板１４は帯状をなし、一端側がコネクタ２９２を介して回路基板２８１に電気的に接続され、他端側が受信部１１及び信号処理部１２に電気的に接続される。
【００４８】
以上のようなパネルユニットは、表示パネル２１の表示面２１１の周縁部が弾性部材３３に接触するようにして、前キャビネット３１に後方から取り付けられる。
このとき、表示パネル２１の下辺部２１ａ、及び、前枠部３１１の周縁下辺部は、共に左右方向に沿って配される。また、このとき、ＳＯＦ２７，２７，…は、遮光凸部３４，３４，…間に配される。即ち、ＳＯＦ２７と遮光凸部３４とが左右方向に交互に配される。
【００４９】
各回路基板２８１は、自身に実装されている各コネクタ２９１及びコネクタ２９２が正面側を向くように、縦姿勢で配される。この結果、各ＳＯＦ２７の背面と回路基板２８１の各コネクタ２９１及びコネクタ２９２が実装されている面とが対面する。
縦姿勢で配された回路基板２８１，２８１，…夫々の下辺部（即ち、非櫛歯状の長辺部）は、挿入溝３７１に挿入される。フレキシブル基板１４は、挿通孔３７２に挿通されて、放熱部３７の下方へ引き出される。
また、縦姿勢で配された回路基板２８１，２８１，…夫々の凹部２８１ａ，２８１ａ，…には、遮光凸部３４，３４，…が嵌め込まれる。
【００５０】
次に、図２及び図３を参照しつつ、ＬＥＤユニットの構成を説明する。ここでは、ＬＥＤ２５，２５，…及びＬＥＤ基板２６のひとまとまりをＬＥＤユニットという。
ＬＥＤ基板２６は、非透光性を有し、横長の矩形板状になしてある。ＬＥＤ基板２６の一面には、ＬＥＤ基板２６の長手方向に並置された複数個のＬＥＤ２５，２５，…が実装されている。
ＬＥＤ２５，２５，…及びＬＥＤ基板２６は、本発明の実施の形態における光源及び光源基板として機能する。なお、光源はＬＥＤ２５，２５，…に限定されるものではない。
【００５１】
ＬＥＤユニットは、パネルユニットが取り付けられた後の前キャビネット３１に取り付けられる。具体的には、ＬＥＤユニットは、ＬＥＤ基板２６のＬＥＤ２５，２５，…が実装されている面を上側に向けて、放熱部３７の上面３７ａに固定的に載置される。このとき、ＬＥＤ基板２６の前端面は、回路基板２８１，２８１，…夫々の背面に接触する。また、ＬＥＤ２５，２５，…は導光板２３の後述する下端面２３ｂに対向配置される。
【００５２】
次に、バックライトの構成を説明する。
導光板２３は、矩形板状になしてあり、例えばアクリル樹脂を用いてなる。導光板２３の縦横の寸法は、表示パネル２１の縦横の寸法よりも大きい。
導光板２３は、導光板２３の少なくとも下端面２３ｂから導光板２３の内部に入射した光を、導光板２３の正面２３ａ及び背面から均一に出射する（即ち面発光する）。
【００５３】
反射シート２４は、導光板２３の背面に密着配置されている。反射シート２４の縦横の寸法は、導光板２３の縦横の寸法よりも大きい。このため、導光板２３の背面から出射した光は、確実に反射シート２４で反射し、再び導光板２３の内部に入射する。
【００５４】
ＬＥＤ２５，２５，…から放射された光は、直接的に、又は、反射シート２４若しくは遮光凸部３４等で反射することによって、導光板２３の下端面２３ｂから導光板２３の内部に入射する。導光板２３の内部に入射した光は、導光板２３の正面２３ａから出射される。正面２３ａから出射された光は、光学シート群２２による拡散及び集光等を経て、表示パネル２１の背面２１２から表示パネル２１の内部に入射する。表示パネル２１の内部に入射した光は、表示パネル２１の表示面２１１から出射される。この結果、表示パネル２１の表示面２１１が、均一に明るくなる。
【００５５】
バックライトシャーシ３６は、支持部３６１と取付部３６２とを有する。支持部３６１は矩形板状になしてある。支持部３６１には、支持部３６１の一面と反射シート２４の背面とを密着させて、導光板２３及び反射シート２４が取り付けられる。
【００５６】
バックライトシャーシ３６は、導光板２３の正面２３ａの中央部が光学シート群２２の背面に密着し、導光板２３の正面２３ａの下辺部が遮光凸部３４，３４，…の先端面と回路基板２８１の背面とに密着するように、導光板２３及び反射シート２４を縦姿勢に保持した状態で、前キャビネット３１に後方から取り付けられる。このとき、バックライトシャーシ３６の取付部３６２は、ビスＢ，Ｂ，…を用いて前キャビネット３１に固定される。以上の結果、導光板２３及び反射シート２４は、遮光凸部３４，３４，…とバックライトシャーシ３６とに挟持される。
【００５７】
支持部３６１の背面には、受信部１１及び信号処理部１２が配されている。各フレキシブル基板１４は、バックライトシャーシ３６に形成されている図示しない貫通孔を通して、受信部１１及び信号処理部１２に電気的に接続される。
バックライトシャーシ３６の背後は、後キャビネット３２によって覆われる。
【００５８】
以上のようにして表示装置１０が組み立てられると、表示パネル２１の背面２１２におけるＬＥＤ２５，２５，…側の周縁部（即ち下辺部２１ａ）とＬＥＤ基板２６との間に、空間Ｓが形成される。
【００５９】
ただし、本実施の形態の表示装置１０においては、遮光凸部３４，３４，…は、前キャビネット３１の前枠部３１１の内面から空間Ｓを貫いて導光板２３の正面２３ａの下辺部まで突出する。また、隣り合う遮光凸部３４，３４間、即ち遮光凸部３４の非突設位置には、回路基板２８１が配されている。更に詳細には、回路基板２８１の背面の上辺部が導光板２３の正面２３ａの下辺部に接触しており、回路基板２８１の下端部が挿入溝３７１の内部（即ちＬＥＤ２５，２５，…よりもＬＥＤ基板２６側）に位置している。以上の結果、空間ＳはＬＥＤ２５，２５，…から遮蔽されている。
【００６０】
次に、本実施の形態の表示装置１０の作用効果を説明する。このために、まず、従来の表示装置１０の構成について説明する。
図５及び図６は、何れも、従来の表示装置１０の構成を模式的に示す縦断面図であり、図２及び図３に対応する。ただし、図５は、フレキシブル基板１４、ＳＯＦ２７、及びコネクタ２９１，２９２の図示を省略してある。
図７は、従来の表示装置１０が備えるパネルユニットの一部分の構成を示す正面図であり、図４に対応する。
図５〜図７に示す従来の表示装置１０の構成は、図２〜図４に示す本実施の形態の表示装置１０の構成と略同一である。従って、以下では両者の差異について説明する。
【００６１】
従来の表示装置１０は、本実施の形態の表示装置１０が備える回路基板２８１に替えて、回路基板２８０を備えている。また、従来の表示装置１０が備えるＬＥＤユニットには、ＬＥＤ２５，２５，…及びＬＥＤ基板２６のみならず、ヒートシンク４２及び絶縁シート４３も含まれている。更に、従来の表示装置１０が備える前キャビネット３１には、放熱部３７が設けられていない。更にまた、従来の表示装置１０が備える前キャビネット３１には、位置決め溝３５が設けられている。
【００６２】
位置決め溝３５は、前枠部３１１の内面の上下方向中央部分に設けられている。位置決め溝３５の長手方向は、左右方向に沿う。位置決め溝３５は、遮光凸部３４，３４，…よりも下側、且つ突出枠部３１２の上側に位置している。位置決め溝３５は、ヒートシンク４２の位置決めに用いられる。
【００６３】
回路基板２８０は、回路基板２８１と同様に、非透光性を有する横長の矩形板状になしてあるが、回路基板２８０の２つの長辺部及び２つの短辺部夫々は、非櫛歯状（直線状）になしてある。
回路基板２８０の一面には、複数個のコネクタ２９１，２９１，…と、１個のコネクタ２９２（又は複数個のコネクタ２９２，２９２，…。図７では２個）が実装されている。回路基板２８０の各コネクタ２９１及びコネクタ２９２が実装されている面は、図５及び図６では下面であり、図７では正面である。
【００６４】
コネクタ２９１，２９１，…は、回路基板２８０の一方の長辺部（図５及び図６では前辺部、図７では上辺部）に沿って並置されている。コネクタ２９２（又はコネクタ２９２，２９２）は、回路基板２８０の他方の長辺部（図５及び図６では後辺部、図７では下辺部）に沿って配置（又は並置）されている。コネクタ２９２の左右方向の配置位置は、コネクタ２９１の左右方向の配置位置に対応する。
フレキシブル基板２７１の下端部は後側へ折り曲げられており、回路基板２８０は、自身に実装されている各コネクタ２９１及びコネクタ２９２が下側を向くように、横姿勢で配される。
【００６５】
絶縁シート４３は、横長の矩形シート状になしてあり、ポリカーボネートを用いてなる。
ヒートシンク４２は金属製であり、横長の棒状、且つ縦断面形状が倒立Ｌ字状になしてある。ヒートシンク４２の一側は、横姿勢に配された矩形板状の基板載置部４２１であり、ヒートシンク４２の他側は、縦姿勢に配された矩形板状の筐体取付部４２２である。
基板載置部４２１には、ＬＥＤ基板２６が固定的に載置されている。このとき、基板載置部４２１の外面とＬＥＤ基板２６の他面（即ちＬＥＤ２５，２５，…が実装されていない面）とが接触しており、更に、基板載置部４２１及びＬＥＤ基板２６夫々の長手方向が互いに沿う。
【００６６】
基板載置部４２１の内面には、絶縁シート４３が、両面粘着テープ又は接着剤等を用いてなる接着層を介して、接着されている。このとき、基板載置部４２１及び絶縁シート４３夫々の長手方向が互いに沿う。
基板載置部４２１の前端部には、ヒートシンク４２の長手方向に並置された複数個の位置決め凸部４２３，４２３，…が突設されている。各位置決め凸部４２３の基板載置部４２１の前端部からの突出長さは、位置決め溝３５の深さ（即ち前後方向の長さ）よりも適宜に長い。また、各位置決め凸部４２３の厚み（即ち上下方向の長さ）は、位置決め溝３５の開口幅（即ち上下方向の長さ）よりも僅かに短い。
【００６７】
ＬＥＤユニットは、基板載置部４２１の外面、即ちＬＥＤ基板２６が載置されている面を上側に向け、基板載置部４２１の内面、即ち絶縁シート４３が接着されている面を下側に向け、更に、位置決め凸部４２３，４２３，…を前側に向けて、前キャビネット３１に後方から取り付けられる。
このとき、位置決め凸部４２３，４２３，…は、ＳＯＦ２７，２７，…間に配される。即ち、位置決め凸部４２３とＳＯＦ２７とが左右方向に交互に配される。この結果、各位置決め凸部４２３の左右方向の配置と各遮光凸部３４の左右方向の配置とは同一になる。
【００６８】
また、このとき、ヒートシンク４２の位置決め凸部４２３，４２３，…は、各位置決め凸部４２３の先端部が、前枠部３１１の位置決め溝３５の最奥部に当接するよう、位置決め溝３５へ挿入される。この結果、ヒートシンク４２は、上下方向及び前後方向に容易に位置決めされる。
ヒートシンク４２が正確に位置決めされた場合、ＬＥＤ２５，２５，…は、導光板２３の下端面２３ｂに正確に対向配置される。また、絶縁シート４３は、ヒートシンク４２と回路基板２８１，２８１，…との間に介在する。
【００６９】
仮に、絶縁シート４３が存在しない場合、例えば表示装置１０に外力が加えられて回路基板２８１が振動し、ヒートシンク４２と接触することによって、短絡が生じる虞がある。しかしながら、絶縁シート４３が回路基板２８１とヒートシンク４２とを電気的に絶縁するため、短絡の発生が抑制される。
位置決めされたヒートシンク４２は、前キャビネット３１にビス留めされる。更に詳細には、ヒートシンク４２の筐体取付部４２２が、バックライトシャーシ３６の取付部３６２と共に、ビスＢ，Ｂ，…を用いて前キャビネット３１に共締めされる。
【００７０】
ここで、本実施の形態の表示装置１０及び従来の表示装置１０における光漏れについて説明する。
【００７１】
本実施の形態の表示装置１０であろうと従来の表示装置１０であろうと、図２及び図５に示すように、遮光凸部３４の突設位置には、ＬＥＤ２５，２５，…側から表示パネル２１側へ光が通過し得る漏光空間が存在しない。何故ならば、遮光凸部３４，３４，…が、前キャビネット３１の前枠部３１１の内面から空間Ｓを貫いて導光板２３の正面２３ａの下辺部まで突出することによって、前枠部３１１の内面から正面２３ａの下辺部までの範囲を閉鎖しているからである。故に、ＬＥＤ２５，２５，…から放射された光は、直接的に、又は、反射シート２４若しくは遮光凸部３４等で反射することによって、導光板２３の下端面２３ｂから導光板２３の内部に入射する。このため、光漏れは生じない。
【００７２】
ところが、図６に示すように、従来の表示装置１０の場合、遮光凸部３４の非突設位置には、漏光空間が存在する。故に、ＬＥＤ２５，２５，…から放射された光の内、導光板２３の内部に入射しなかった光が、ＳＯＦ２７の背面及び導光板２３の正面２３ａ等で反射することによって、表示パネル２１の背面２１２の下辺部２１ａ（即ち背面２１２の光学シート群２２に覆われていない部分）又は表示パネル２１の下辺部端面から表示パネル２１の内部に無用に入射する。この結果、表示面２１１の下部における遮光凸部３４，３４，…の非突設位置に対応する部分が、この部分だけサーチライトで別途照明されたかように、他の部分よりも無用に明るくなる。即ち、光漏れが生じる。従って、表示面２１１に表示される映像の画質が劣化する。
【００７３】
一方、図３に示すように、本実施の形態の表示装置１０の場合、遮光凸部３４の非突設位置には漏光空間が存在しない。何故ならば、回路基板２８１が導光板２３の正面２３ａの下辺部からＬＥＤ基板２６の前端面までの範囲を閉鎖しているからである。故に、ＬＥＤ２５，２５，…から放射された光の内、導光板２３の内部に入射しなかった光は、回路基板２８１に遮蔽されるため、表示パネル２１の内部には入射しない。
【００７４】
また、回路基板２８１の背面の上辺部が導光板２３の正面２３ａの下辺部に接触しており、回路基板２８１の下端部が挿入溝３７１の内部に位置している。故に、例えば回路基板２８１の上端面が導光板２３の下端面２３ｂに面一の位置に配されている場合、又は、回路基板２８１の下端面がＬＥＤ基板２６の上面に面一の位置に配されている場合等に比べて、光が回路基板２８１を迂回して漏光空間を通過することが抑制されている。
以上の結果、本実施の形態の表示装置１０においては、光漏れが抑制されるため、表示面２１１に表示される映像の画質が向上する。
【００７５】
ところで、回路基板２８１は従来の表示装置１０が備える回路基板２８０に相当する。故に、本実施の形態の表示装置１０においては、光漏れを抑制するためだけに部品点数を増加させる必要がない。従って、光漏れを抑制するために表示装置１０（延いてはテレビジョン受信機１）の薄型化及び狭額縁化が阻害されることはない。しかも、横姿勢で配されていた従来の回路基板２８０とは異なり、回路基板２８１は縦姿勢で配されるため、表示装置１０の薄型化に寄与する可能性がある。
【００７６】
しかも、遮光凸部３４，３４，…は、遮光機能の他、バックライトシャーシ３６との間で導光板２３及び反射シート２４を挟持する挟持機能も有する。つまり、遮光機能を有する部分と挟持機能を有する部分とを個別に前キャビネット３１に設けるよりも、前キャビネット３１の構成は簡易且つ軽量である。
なお、遮光凸部３４，３４，…が存在しない場合には、回路基板２８１に凹部２８１ａ，２８１ａ，…を設ける必要はない。このとき、回路基板２８１は、従来の回路基板２８０と共通であってもよい。
【００７７】
次に、本実施の形態の表示装置１０及び従来の表示装置１０における放熱について説明する。
本実施の形態の表示装置１０であろうと従来の表示装置１０であろうと、ＬＥＤ２５，２５，…が発した熱は、一旦、ＬＥＤ基板２６に伝達する。
従来の表示装置１０においては、ＬＥＤ基板２６に伝達された熱は、ヒートシンク４２に伝達してから、例えば位置決め凸部４２３及び位置決め溝３５の内面を経て、前キャビネット３１に伝達し、外部へ放出される。ただし、ヒートシンク４２に、形状の歪み又は取り付け時の位置ずれ等が生じている場合、位置決め凸部４２３と位置決め溝３５の内面との間に無用な空隙が生じるため、熱の伝達効率が悪くなる。
【００７８】
一方、本実施の形態の表示装置１０においては、ＬＥＤ基板２６に伝達された熱は、放熱部３７、延いては前キャビネット３１に伝達し、外部へ放出される。
従来のヒートシンク４２は前キャビネット３１とは別体であるが、放熱部３７は前キャビネット３１と一体である。従って、本実施の形態の表示装置１０は、従来の表示装置１０よりも部品点数が少ない。この結果、本実施の形態の表示装置１０は、従来のものよりも狭額縁化を図ることができる。また、放熱部３７と前キャビネット３１との間に無用な空隙が生じる虞がないため、熱の伝達効率がよい。
【００７９】
仮に、従来の表示装置１０が備える前キャビネット３１を、本実施の形態の表示装置１０が備える前キャビネット３１に替えた場合、放熱部３７の下方に回路基板２８０，２８０，…を配置しなければならないため、表示装置１０の組み立てが煩雑になる。
【００８０】
以上のような本実施の形態の表示装置１０において、回路基板２８１の配置位置及び姿勢は、回路基板２８０の配置位置及び姿勢とは異なる。しかしながら、本実施の形態の表示装置１０を製造する場合には、回路基板２８０の形状及びコネクタ２９１の実装位置を適宜に変更すれば、回路基板２８１を得ることができる。つまり、従来の回路基板２８０に対する最小限の加工で、回路基板２８１を得ることができる。何故ならば、フレキシブル基板２７１を屈曲させれば、回路基板２８１の配置位置及び姿勢を容易に変更することができるからである。
【００８１】
ところで、従来の表示装置１０においては、コネクタ２９２の左右方向の配置位置がコネクタ２９１の左右方向の配置位置に対応する。仮に、本実施の形態の表示装置１０において、コネクタ２９２の左右方向の配置位置をコネクタ２９１の左右方向の配置位置に対応させると、フレキシブル基板１４の配置が困難になる。
【００８２】
実施の形態  ２．
以下では、実施の形態１，２の差異について説明し、その他、実施の形態１に対応する部分には同一符号を付してそれらの説明を省略する。
図８及び図９は、何れも、本発明の実施の形態２に係る表示装置１０の構成を模式的に示す縦断面図である。ただし、図８は、遮光凸部３４が突設されている位置（即ち遮光凸部３４の突設位置）における断面を示し、図９は、隣り合う遮光凸部３４，３４間（即ち遮光凸部３４の非突設位置）における断面を示している。図８及び図９は、実施の形態１の図２及び図３に対応するが、図８は、フレキシブル基板１４、ＳＯＦ２７、及びコネクタ２９１，２９２の図示を省略してある。
【００８３】
図１０は、表示装置１０が備えるパネルユニットの一部分の構成を示す正面図であり、実施の形態１の図４に対応する。
図８及び図９に示すように、本実施の形態における放熱部３７には、実施の形態１の挿通孔３７２，３７２，…に替えて、挿通孔３７３，３７３，…が設けられている。挿通孔３７３は、実施の形態１の挿通孔３７２に対応しているが、左右方向の形成位置が異なる。具体的には、本実施の形態の挿通孔３７３は、遮光凸部３４の非突設位置の下方に位置する。
【００８４】
次に、図８〜図１０を参照しつつ、パネルユニットの構成を説明する。
本実施の形態のパネルユニットは、実施の形態１のパネルユニットと同様に、表示パネル２１、光学シート群２２、ＳＯＦ２７，２７，…、及びフレキシブル基板１４を含み、更に、実施の形態１の回路基板２８１，２８１，…に替えて、回路基板２８２，２８２，…を含んでいる。
【００８５】
回路基板２８２は、実施の形態１の回路基板２８１に対応している。回路基板２８２においても、実施の形態１の回路基板２８１と同様に、一方の長辺部は、櫛歯状になしてあり、他方の長辺部及び２つの短辺部夫々は、非櫛歯状（直線状）になしてある。ただし、回路基板２８２の櫛歯状の長辺部は、図８及び図９でも図１０でも上辺部である。図１０では、回路基板２８２の櫛歯状の長辺部に、３個の凹部２８２ａ，２８２ａ，…が形成されている場合が例示してある。凹部２８２ａ，２８２ａ，…は、実施の形態１の凹部２８１ａ，２８１ａ，…に対応する。
【００８６】
回路基板２８２にも、実施の形態１の回路基板２８１と同様に、４個のコネクタ２９１，２９１，…と、１個のコネクタ２９２（又は２個のコネクタ２９２，２９２）が実装されている。しかしながら、これらの配置位置は異なる。
回路基板２８２の各コネクタ２９１及びコネクタ２９２が実装されている面は、図８及び図９でも図１０でも正面である。
【００８７】
コネクタ２９１，２９１，…は、回路基板２８２の長手方向に沿って並置されている。各コネクタ２９１の上下方向の配置位置は、回路基板２８２の短手方向中央部である。コネクタ２９１，２９１，…と凹部２８２ａ，２８２ａ，…とは、千鳥配置されている。
コネクタ２９２（又はコネクタ２９２，２９２）は、回路基板２８２の一方の長辺部（図８及び図９でも図１０でも下辺部）に沿って配置（又は並置）されている。コネクタ２９１の左右方向の配置位置とコネクタ２９２の左右方向の配置位置とは対応する。
【００８８】
つまり、コネクタ２９１，２９１，…（延いてはＳＯＦ２７，２７，…）及びコネクタ２９２の左右方向の配置位置と、凹部２８２ａ，２８２ａ，…の左右方向の配置位置とは異なる。
各ＳＯＦ２７は、実施の形態１のフレキシブル基板２７１に替えて、その長手方向がフレキシブル基板２７１より短いフレキシブル基板２７２を備えている。ＳＯＦ２７は、フレキシブル基板２７２の下端部側で、複数枚の回路基板２８２，２８２，…の内、何れかひとつの回路基板２８２に、コネクタ２９１を介して電気的に接続されている。
【００８９】
以上のようなパネルユニットは、表示パネル２１の表示面２１１の周縁部が弾性部材３３に接触するようにして、前キャビネット３１に後方から取り付けられる。
このとき、表示パネル２１の下辺部２１ａ、及び、前枠部３１１の周縁下辺部は、共に左右方向に沿って配される。また、このとき、ＳＯＦ２７，２７，…は、遮光凸部３４，３４，…間に配される。即ち、ＳＯＦ２７と遮光凸部３４とが左右方向に交互に配される。
【００９０】
各回路基板２８２は、自身に実装されている各コネクタ２９１及びコネクタ２９２が正面側を向くように、縦姿勢で配される。以上の結果、各ＳＯＦ２７の背面と回路基板２８２の各コネクタ２９１及びコネクタ２９２が実装されている面とが対面する。
縦姿勢で配された回路基板２８２，２８２，…夫々の下辺部（即ち、非櫛歯状の長辺部）は、挿入溝３７１に挿入される。フレキシブル基板１４は、挿通孔３７３に挿通されて、放熱部３７の下方へ引き出される。
また、縦姿勢で配された回路基板２８２，２８２，…夫々の凹部２８２ａ，２８２ａ，…には、遮光凸部３４，３４，…が嵌め込まれる。
【００９１】
以上のような表示装置１０も、表示パネル２１の背面２１２におけるＬＥＤ２５，２５，…側の周縁部（即ち下辺部２１ａ）とＬＥＤ基板２６との間に、空間Ｓを有する。
ただし、本実施の形態の表示装置１０においても、遮光凸部３４，３４，…は、前キャビネット３１の前枠部３１１の内面から空間Ｓを貫いて導光板２３の正面２３ａの下辺部まで突出する。また、本実施の形態の表示装置１０においては、遮光凸部３４の非突設位置には回路基板２８２が配されている。更に詳細には、回路基板２８２の背面の上辺部が導光板２３の正面２３ａの下辺部に接触しており、回路基板２８２の下端部が挿入溝３７１の内部（即ちＬＥＤ２５，２５，…よりもＬＥＤ基板２６側）に位置している。以上の結果、空間ＳはＬＥＤ２５，２５，…から遮蔽されている。
【００９２】
従って、本実施の形態の表示装置１０においては、遮光凸部３４の突設位置にも非突設位置にも漏光空間が存在しない。故に、光漏れは生じない。この結果、表示面２１１に表示される映像の画質が向上する。
【００９３】
しかも、実施の形態１の表示装置１０においては、パネルユニットを前キャビネット３１に取り付ける前と取り付けた後とで、回路基板２８１の正面及び背面が入れ替わる。このためにフレキシブル基板２７１を従来よりも更に屈曲させなければならない。故に、フレキシブル基板２７１に無用なストレスが生じる虞がある。一方、本実施の形態の表示装置１０においては、パネルユニットを前キャビネット３１に取り付ける前と取り付けた後とで、回路基板２８１の正面及び背面は変更されない。故に、フレキシブル基板２７２は伸直した状態のままである。故に、フレキシブル基板２７２に無用なストレスが生じる虞はない。
【００９４】
なお、本実施の形態の表示装置１０においては、コネクタ２９２の左右方向の配置位置が凹部２８２ａの左右方向の配置位置に対応していても特段の問題はない。
ところで、実施の形態１，２では、表示装置１０が、受信部を備えるテレビジョン受信機１に適用されている場合を例示したが、これに限定されるものではない。本発明に係る表示装置は、受信部を備えていない電気機器、例えばパーソナルコンピュータ用のディスプレイに適用されてもよい。
【００９５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１又は表示装置１０に、実施の形態１，２に開示されていない構成要素が含まれていてもよい。
【符号の説明】
【００９６】
１      テレビジョン受信機
１０    表示装置
１１    受信部
２１    表示パネル
２３    導光板
２５    ＬＥＤ（光源）
２６    ＬＥＤ基板（基板）
２７１，２７２  フレキシブル基板
２８１，２８２  回路基板
３１    前キャビネット（キャビネット）
３７    放熱部
Ｓ      空間
【図１】
2013254106.tif 000003
【図２】
2013254106.tif 000004
【図３】
2013254106.tif 000005
【図４】
2013254106.tif 000006
【図５】
2013254106.tif 000007
【図６】
2013254106.tif 000008
【図７】
2013254106.tif 000009
【図８】
2013254106.tif 000010
【図９】
2013254106.tif 000011
【図１０】
2013254106.tif 000012